(57)【要約】【課題】引戸の開放を所望の間隔に制限するという操作およびその制限を解除する操作に手間がかからないだけでなく、判断能力の乏しい知的障害者や子どもなどがその引戸から外へと勝手に出てしまうことを防止できる引戸錠を提供する。【解決手段】１対の引戸１，１の一方に取り付けられるストッパー保持体２と、このストッパー保持体２に着脱自在に連結されるストッパー３とを備え、前記ストッパー保持体２に連結したストッパー３が前記１対の引戸１，１の開閉を制限し、ストッパー保持体２からストッパー３を取り外すことにより前記制限が解除される引戸錠Ｄであって、前記ストッパー保持体２に対するストッパー３の連結およびその解除を、鍵Ｋを用いた施錠および解錠操作によって行うようにしてある。【選択図】　　　図１
2004143869.tif 000002
【特許請求の範囲】
【請求項１】
１対の引戸の一方に取り付けられるストッパー保持体と、このストッパー保持体に着脱自在に連結されるストッパーとを備え、前記ストッパー保持体に連結したストッパーが前記１対の引戸の開閉を制限し、ストッパー保持体からストッパーを取り外すことにより前記制限が解除される引戸錠であって、前記ストッパー保持体に対するストッパーの連結およびその解除を、鍵を用いた施錠および解錠操作によって行うようにしてあることを特徴とする引戸錠。
【請求項２】
前記ストッパーには、鍵の挿入孔が設けられ、また、前記挿入孔内に挿入した前記鍵の回動操作に連動して、前記ストッパー保持体の被係合部に係合する状態とこの係合が解除された状態とに切り換わる係合部が設けられている請求項１に記載の引戸錠。
【請求項３】
前記ストッパーは、鍵の挿入孔がその前面から後方に向けて形成されると共に鍵の挿入孔の前後方向の軸まわりに回動する回動部材と、この回動部材を回動自在に保持するハウジングとを備え、前記回動部材の後端部には側方に突出する係合部が設けられており、前記ストッパー保持体は、引戸の枠部に形成された開口部の周縁を挟持する一対のプレート体を備え、前記一対のプレート体に、前記係合部を挿通させるための貫通孔を形成してある請求項１または２に記載の引戸錠。
【発明の詳細な説明】
【０００１】
【発明の属する技術分野】
本発明は、引戸錠に関するものである。
【０００２】
【従来の技術】
【特許文献１】特開平７−２５９４１６号公報
従来の引戸錠として、前記特許文献１に示すように、通風などのために、引戸を所望の間隔開けた状態で施錠できるようにするためのものがある。
【０００３】
【発明が解決しようとする課題】
しかし、上記従来の引戸錠は、引戸の開放を制限して、引戸の外側から室内への侵入を防ぐことができ、防犯を考慮したものであったが、室内側からは容易に前記制限を解除できる構造であったことから、例えば、福祉施設にある引戸に前記引戸錠を設けた場合には、知的障害者や痴呆症患者などがその引戸の前記制限を解除して、室外へと勝手に出ていき、徘徊してしまうことなどを防止できず、また、マンションのベランダへの出入口となる引戸タイプの窓に前記引戸錠を設けた場合には、子どもがその引戸の前記制限を解除してベランダへと勝手に出てしまい、そのベランダから身を乗り出して下に落ちるといった事故が起こる危険性もあった。
【０００４】
さらに、上記引戸錠は、１対の引戸の一方の開放のみを制限するものであったことから、他方の引戸の開放をも制限しようとする場合には、引戸錠を２つ設ける必要があり、その分だけ取り付けるためのコストと手間がかかり、また、毎回２つの引戸錠の施錠および解錠操作を行うことは非常に煩わしいという問題があった。
【０００５】
本発明は上述の事柄に留意してなされたもので、その目的は、引戸の開放を所望の間隔に制限するという操作およびその制限を解除する操作に手間がかからないだけでなく、判断能力の乏しい知的障害者や子どもなどがその引戸から外へと勝手に出てしまうことを防止できる引戸錠を提供することである。
【０００６】
【課題を解決するための手段】
上記目的を達成するために、本発明の引戸錠は、１対の引戸の一方に取り付けられるストッパー保持体と、このストッパー保持体に着脱自在に連結されるストッパーとを備え、前記ストッパー保持体に連結したストッパーが前記１対の引戸の開閉を制限し、ストッパー保持体からストッパーを取り外すことにより前記制限が解除される引戸錠であって、前記ストッパー保持体に対するストッパーの連結およびその解除を、鍵を用いた施錠および解錠操作によって行うようにしてある（請求項１）。
【０００７】
上記の構成により、引戸の開放を所望の間隔に制限するという操作およびその制限を解除する操作に手間がかからないだけでなく、判断能力の乏しい知的障害者や子どもなどがその引戸から外へと勝手に出てしまうことを防止できる引戸錠を提供することが可能となる。
【０００８】
また、前記ストッパーには、鍵の挿入孔が設けられ、また、前記挿入孔内に挿入した前記鍵の回動操作に連動して、前記ストッパー保持体の被係合部に係合する状態とこの係合が解除された状態とに切り換わる係合部が設けられているとしてもよい（請求項２）。
【０００９】
さらに、前記ストッパーは、鍵の挿入孔がその前面から後方に向けて形成されると共に鍵の挿入孔の前後方向の軸まわりに回動する回動部材と、この回動部材を回動自在に保持するハウジングとを備え、前記回動部材の後端部には側方に突出する係合部が設けられており、前記ストッパー保持体は、引戸の枠部に形成された開口部の周縁を挟持する一対のプレート体を備え、前記一対のプレート体に、前記係合部を挿通させるための貫通孔を形成してあるとしてもよい（請求項３）。
【００１０】
【発明の実施の形態】
以下、本発明の実施の形態を図面に基づいて説明する。
図１（Ａ）および（Ｂ）は、本発明の一実施例に係る引戸錠Ｄが設置される引戸１，１の閉じた状態の構成を概略的に示す横断面図および正面図、図２（Ａ）および（Ｂ）は、前記引戸１，１のうち一方の引戸１を通風可能となるように少し開けて隙間Ｗａを設けた状態（以下、通風状態という）の構成を概略的に示す横断面図および正面図、図３（Ａ）および（Ｂ）は、前記引戸１，１の開閉自在状態の構成を概略的に示す横断面図および正面図、図４（Ａ），（Ｂ）および（Ｃ）は、前記引戸錠Ｄのストッパー３をストッパー保持体２に連結した状態の構成を概略的に示す説明図、正面図および縦断面図、図５は、前記引戸錠Ｄのストッパー３をストッパー保持体２から取り外した状態の構成を概略的に示す説明図である。
引戸錠Ｄは、１対の引戸１，１の一方に取り付けられるストッパー保持体２と、このストッパー保持体２に着脱自在に連結されるストッパー３とを備えている。
【００１１】
そして、前記引戸錠Ｄは、図４に示すように、前記ストッパー保持体２に前記ストッパー３を連結すると、このストッパー３が前記１対の引戸１，１の開放（開閉）を制限し、このとき、引戸１，１は、閉じた状態（図１参照）か、人の出入りが不可能な程度（例えば、引戸１，１とこの引戸１，１により閉塞される開口を形成している窓枠Ｗとの間の隙間Ｗａが約１０ｃｍ未満となる程度）に開いた通風状態（図２参照）かのいずれかの状態しかとることがなく、引戸１，１が、人の出入りを可能とする程度（例えば、引戸１，１とこの引戸１，１により閉塞される開口を形成している窓枠Ｗとの間の隙間Ｗａが約１０ｃｍより大きくなる程度）には開くことがないように構成されている。
【００１２】
また、前記引戸錠Ｄは、図５に示すように、前記ストッパー保持体２からストッパー３を取り外すことにより前記引戸１，１の制限が解除され、引戸１，１は最大限にまで開く開閉自在状態（図３参照）となるように構成されている。
【００１３】
さらに、前記引戸錠Ｄでは、前記ストッパー保持体２に対するストッパー３の連結およびその解除を、鍵Ｋを用いた施錠および解錠操作によって行うようにしてある。
【００１４】
以下、各部材の構成について詳述する。
前記１対の引戸１，１は、例えば、サッシ戸など人の出入りの可能な引戸タイプの窓を構成するものであり、所謂従来公知のクレセント等からなる主錠（図示せず）を有している。
【００１５】
また、前記１対の引戸１，１はそれぞれ、上枠部分４ａ，下枠部分４ｂ，左枠部分４ｃ，右枠部分４ｄからなる枠部４を有しており、枠部４の内側にはガラス板Ｇが嵌め込まれている。さらに、前記１対の引戸１，１のうち一方の引戸１（奥手側の引戸１）の枠部４の下枠部分４ｂの手前側の壁には、正面視ほぼ矩形状の開口部１ａ（図５参照）が形成されている。
【００１６】
前記ストッパー保持体２は、前記開口部１ａの周縁を挟持する一対のプレート体５，６を備えており、一対のプレート体５，６は、前記下枠部分４ｂの開口部１ａが形成された壁の外側（前面側）および内側（後面側）にそれぞれ配置される。
【００１７】
図６（Ａ），（Ｂ），（Ｃ）および（Ｄ）は、前記プレート体５の構成を概略的に示す背面図，横断面図，平面図および正面図である。
前記下枠部分４ｂの開口部１ａの外側に配置されるプレート体５は、正面視がほぼ矩形状をしており、その中央には、後述する係合部９を挿通させるための貫通孔５ａが形成され、また、４隅部にはそれぞれネジ用の皿穴５ｂが形成されている。さらに、前記プレート体５は、その後部５ｃの周縁部分が削ぎ落とされた形状になっており、後部５ｃを前記開口部１ａ内にその前側から嵌め込むことができるように構成されている。
【００１８】
図７は、前記プレート体６の構成を概略的に示す背面図である。
前記開口部１ａの内側（後面側）に配置されるプレート体６は、正面視がほぼ矩形状をしており、その中央には、後述する係合部９を挿通させるための貫通孔６ａが形成され、また、４隅部にはそれぞれネジ穴６ｂが形成されている。さらに、前記貫通孔６ａの４隅付近の縁部分６ｃ，６ｃ…は、それぞれ面取りされている。
【００１９】
なお、前記プレート体６の貫通孔６ａの周縁部分は、後述する係合部９が係合する被係合部を構成するものでもある。
【００２０】
そして、前記プレート体５，６をそれぞれ、前記下枠部分４ｂの開口部１ａが形成された壁の外側（前面側）および内側（後面側）に配置し、図４（Ａ）および図５に示すように、対応する皿穴５ｂおよびネジ穴６ｂを介してネジ７で固定することにより、一対のプレート体５，６を備えたストッパー保持体２の引戸１への取り付けが完了する。
【００２１】
図８（Ａ），（Ｂ）および（Ｃ）は、前記ストッパー３の構成を概略的に示す横断面図，一部透視正面図および一部透視背面図である。
前記ストッパー３には、鍵Ｋの挿入孔８が設けられ、また、前記挿入孔８内に挿入した前記鍵Ｋの回動操作に連動して、前記ストッパー保持体２の被係合部をなすプレート体６に係合する状態とこの係合が解除された状態とに切り換わる係合部９ｂ，９ｂを有する係合体９が設けられている。
【００２２】
詳しくは、前記ストッパー３は、前記鍵Ｋの挿入孔８がその前面から後方に向けて形成されると共に鍵Ｋの挿入孔８の前後方向の軸まわりに回動する回動部材１０と、この回動部材１０を回動自在に保持するハウジング１１とを備え、前記回動部材１０の後端部１０ｂには側方に突出する前記係合部９ｂ，９ｂを有する係合体９が一体的に固着されている。
【００２３】
図９（Ａ），（Ｂ），（Ｃ），（Ｄ）および（Ｅ）は、前記回動部材１０の構成を概略的に示す背面図，平面図，正面図，縦断面図および横断面図、図１０（Ａ），（Ｂ）および（Ｃ）は、前記回動部材１０の後端部１０ｂに一体的に固着される係合体９の構成を概略的に示す正面図，側面図および底面図である。
前記回動部材１０は、ほぼ円柱形状をしており、その前部外面には鍔部１２が形成されているとともに、この鍔部１２には、側方に突出する２つの突出部分１２ａ，１２ａが設けられている。また、前記回動部材１０の後面から前方に向けて２つのネジ穴１３，１３が形成されている。
【００２４】
前記係合体９は、正面視がほぼ円形状となっている中央部分１４と、この中央部分１４の側方（上下）に突出する前記２つの係合部９ｂ，９ｂとを有している。また、前記中央部分１４には、２つのネジ用の皿穴１４ａ，１４ａが形成されている。さらに、前記係合部９ｂ，９ｂの端部にはそれぞれ面取り部分９ａが設けられている。
【００２５】
そして、前記回動部材１０と係合体９とは、それぞれのネジ穴１３および皿穴１４ａを介してネジ１５（図８（Ａ），（Ｃ）参照）を用いて固定することができ、このように固定した状態では、正面視において、前記突出部分１２ａ，１２ａを結ぶ線と、前記係合部９ｂ，９ｂを結ぶ線とのなす角度が、例えば約４５度となるように前記回動部材１０および係合体９は構成されている。
【００２６】
また、前記回動部材１０の鍔部１２と後端部１０ｂとの間には、図８（Ａ）に示すように、前側から順に、スプリングワッシャ１６と、ワッシャ１７と、固定部材１８（図１１参照）とが収容される。
【００２７】
前記スプリングワッシャ１６およびワッシャ１７は、それぞれ正面視が環状に形成されており、前記回動部材１０における鍔部１２よりも後ろ側の部分により挿通された状態で、上述のように収容されるのである。
【００２８】
図１１（Ａ）および（Ｂ）は、前記固定部材１８の構成を概略的に示す正面図および平面図である。
前記固定部材１８は、正面視ほぼ矩形状をしており、前記回動部材１０における鍔部１２よりも後ろ側の部分により挿通される貫通孔１８ａがその中央に形成されており、また、４隅部には、皿穴１８ｂがそれぞれ設けられている。さらに、固定部材１８の左右端部には、切り欠き部分１８ｃがそれぞれ設けられている。
【００２９】
図１２（Ａ），（Ｂ），（Ｃ），（Ｄ），（Ｅ）および（Ｆ）は、前記ストッパー３を構成するハウジング１１の構成を概略的に示す平面図，正面図，側面図，横断面図，縦断面図および背面図である。
前記ハウジング１１は、その前面部に、前記鍵Ｋが挿通する鍵穴１９をほぼ中央に有するとともに、この鍵穴１９の上下に、ハウジング１１の内部に収容される蓄光部材２４（図１３参照）の突出部分２４ｂ，２４ｂを露出させるための穴２０，２０を有している。
【００３０】
また、ハウジング１１の内部には、前側から順に、前記蓄光部材２４および前記回動部材１０の鍔部１２より前側の部分を収容するための第１収容部２１と、前記回動部材１０の鍔部１２，スプリングワッシャ１６およびワッシャ１７を収容するための第２収容部２２と、前記固定部材１８を固定するための固定部２３と、前記ストッパー保持体２のプレート体５が嵌合される凹部２９とを有している。
【００３１】
前記第２収容部２２は、前記回動部材１０の軸まわりの３６０度の回動を許容するものではなく、例えば約９０度の軸まわりの回動を許容するものであり、そのために、前記回動部材１０の回動に伴う鍔部１２の動きを許容するスペース２２ａを上部および下部のみに有しており、左右には有していないのである。
【００３２】
前記固定部２３の左右端部のほぼ中央にはそれぞれ、前記固定部材１８の切り欠き部分１８ｃに対応する突出部分２３ａが設けられている。また、固定部２３の４隅部にはネジ穴２３ｂがそれぞれ設けられている。
【００３３】
図１３（Ａ），（Ｂ）および（Ｃ）は、前記蓄光部材２４の構成を概略的に示す横断面図，正面図および縦断面図である。
前記蓄光部材２４は、ほぼ円板形状をしており、その中央に、前記鍵Ｋを挿通させるための挿通孔２４ａが設けられている。また、前面の上下には、それぞれ前方に突出する突出部分２４ｂが設けられており、前記ハウジング１１の穴２０，２０に挿通させた突出部分２４ｂが、ハウジング１１から外部に露出した状態で保持されるように構成されている。
【００３４】
そして、前記蓄光部材２４は、いわゆる蓄光樹脂を用いて形成されており、昼間の太陽光や何らかの光を吸収して蓄積し、その蓄積した光を自然に発光し、突出部分２４ｂが鍵穴１９付近を照らすので、夜間などの暗がりでも、鍵Ｋを鍵穴１９に容易に挿入して操作することができるという効果を有する。
【００３５】
図１４（Ａ），（Ｂ）および（Ｃ）は、前記鍵Ｋの構成を概略的に示す正面図，側面図および平面図である。
前記鍵Ｋは、手で持つための部分となる摘まみ部２５と、前記鍵穴１９からストッパー３内に挿入される部分となる挿入部分２６と、前記摘まみ部２５および挿入部分２６の間に設けられる中間部分２７とを備えており、前記摘まみ部２５および挿入部分２６が互いにほぼ平行となっているとともに、前記中間部分２７が、前記摘まみ部２５および挿入部分２６とは平行でなく、傾斜がついた形状となっている。
【００３６】
前記の構成からなるストッパー３の組み立ては、まず、前記ハウジング１１の第１収容部２１に蓄光部材２４を収容し、続いて、鍔部１２と後端部１０ｂとの間に、前側から順に、スプリングワッシャ１６と、ワッシャ１７と、固定部材１８とを収容し、次いで、前記後端部１０ｂに係合体９を固着した状態とした前記回動部材１０をハウジング１１内に収容し、前記固定部材１８の各皿穴１８ｂとハウジング１１の各ネジ穴２３ｂとを介してネジ２８で固定することにより、行うことができる。
【００３７】
次に、上記の構成からなる引戸錠Ｄの施錠および解錠について説明する。
前記引戸錠Ｄの施錠は、引戸１に取り付けられたストッパー保持体２に対してストッパー３を取り付ける操作であり、以下のように行われる。まず、前記ハウジング１１の鍵穴１９に対して回動部材１０の挿入孔８の向きが一致する状態となるように回動部材１０を回動させておき、鍵Ｋを鍵穴１９から挿入孔８内に挿入する。このとき、前記回動部材１０の後端部１０ｂに固着された係合体９は、２つの係合部９ｂ，９ｂがそれぞれ上下に向いており、このままでは前記ストッパー保持体２の貫通孔５ａ，６ａに挿通させることができない状態となっている。
【００３８】
続いて、前記挿入孔８内に挿入した状態の鍵Ｋを回動操作して、回動部材１０をその軸まわりに約９０度回転させる。この操作により、前記２つの係合部９ｂ，９ｂがそれぞれ左右に位置する状態まで回動し、前記ストッパー保持体２の貫通孔５ａ，６ａ内に挿通させることが可能な状態となる。なお、このときのストッパー３は、前記ハウジング１１の鍵穴１９に対して回動部材１０の挿入孔８の向きが一致しなくなり、鍵Ｋを挿入孔８から抜けない状態となっている。
【００３９】
その後、上記の状態となったストッパー３を引戸１に取り付けられたストッパー保持体２に近づけ、前記ハウジング１１の凹部２９内にプレート体５を嵌合しつつ、前記係合部９ｂ，９ｂを有する係合体９をストッパー保持体２の貫通孔５ａ，６ａに挿通させる。
【００４０】
そして、前記鍵Ｋを回動操作して、回動部材１０をその軸まわりに、かつ、上記とは反対の方向に約９０度回転させる。ここで、この鍵Ｋの回動操作前において、前記係合体９の係合部９ｂ，９ｂは、前記貫通孔６ａよりも完全に後方に抜けている状態となっていない。これは、前記回動部材１０の鍔部１２と後端部１０ｂとの間に配置したスプリングワッシャ１６が、回動部材１０および係合体９全体を前方へと付勢しているためである。しかし、上述したような鍵Ｋの回動操作を行うと、それぞれ面取りされた前記プレート体６の貫通孔６ａの縁部分６ａ，６ａに対して、面取り部分９ａを有する係合部９ｂ，９ｂが容易にのりあげることとなり、こののりあげに伴って、前記スプリングワッシャ１６の付勢に抗して回動部材１０および係合体９全体が後方へと移動し、係合部９ｂ，９ｂが貫通孔６ａの後方へと完全に抜けた状態となる。すなわち、上記の操作により、前記２つの係合部９ｂ，９ｂが、被係合部としてのプレート体６の貫通孔６ａの周縁部分に係合する状態となり、ストッパー保持体２にストッパー３が連結された状態となる。なお、この連結状態にある引戸錠Ｄは、前記被係合部（プレート体６の貫通孔６ａの周縁部分）に係合する係合部９ｂ，９ｂを有する係合体９が、前記スプリングワッシャ１６により前方へ付勢されていることにより、ガタツクことがなく安定した状態となっている。
【００４１】
上記操作により、前記ハウジング１１の鍵穴１９に対して回動部材１０の挿入孔８の向きが一致する状態となっているのであり、最後に、前記挿入孔８から鍵Ｋを抜き取ることで、引戸錠Ｄの施錠が完了する。
【００４２】
一方、前記引戸錠Ｄの解錠は、引戸１に取り付けられた前記ストッパー保持体２からストッパー３を取り外すための操作であり、以下のように行われる。すなわち、まず、前記ハウジング１１の鍵穴１９から、この鍵穴１９に対して向きが一致する状態となっている回動部材１０の挿入孔８内に前記鍵Ｋを挿入し、回動する。この回動操作により、前記係合部９ｂ，９ｂの被係合部（プレート体６の貫通孔６ａの周縁部分）に対する係合が解除される。そのため、上記操作の後は、前記ストッパー３の回動部材１０および係合体９をストッパー保持体２から引き抜いて取り外せばよいのであり、これにより、引戸錠Ｄの解錠が完了する。
【００４３】
上記の構成からなる引戸錠Ｄでは、１対の引戸１，１の開放をそれぞれ所望の間隔に制限するに際して、上述した従来の引戸錠のように、１対の引戸１，１に対してそれぞれ１つずつ計２つ設ける必要がなく、１対の引戸１，１に対して１つだけ設け、この１つの引戸錠Ｄについての施錠操作および解錠操作を行うだけで、１対の引戸１，１のそれぞれの開放を所望の間隔に制限することができるのであり、引戸１，１の開放を所望の間隔に制限するという操作およびその制限を解除する操作に手間がかからず、また、取り付けるためのコストも低減することが可能となっている。
【００４４】
また、前記施錠操作および解錠操作に用いる鍵Ｋを、判断能力のある介護者や大人などが管理しておくことにより、判断能力の乏しい知的障害者や子どもあるいは痴呆症患者などが、前記施錠操作を行うことにより開放を所望の間隔に制限した引戸１，１から外へと勝手に出てしまうことを防止できるのである。
【００４５】
さらに、上記の構成からなる引戸錠Ｄでは、施錠および解錠に用いる鍵Ｋを適宜に屈曲させてあることから、前記引戸錠Ｄを引戸１の下枠部分４ｂ、すなわち足元付近の作業を行いにくい位置に設けても、前記鍵Ｋを用いた回動操作を容易に行うことができるのである。また、前記引戸錠Ｄを上記のような足元付近の位置に設けた場合であっても、上記施錠および解錠操作を行おうとする者に対して、前記蓄光部材２４により鍵穴１９を探し当てる目安を与えるようにしてあることから、これによっても、前記鍵穴１９をすぐに見つけることができ、上記施錠および解錠操作に容易に取りかかれるのである。
【００４６】
なお、上記実施例では、引戸錠Ｄを、引戸１，１の開放を所望の間隔に制限する状態としない状態とに切り換えるために用いているが、このような構成に限るものではない。
【００４７】
例えば、図１（Ｂ）に示すように、閉まった状態の１対の引戸１，１の一方の引戸１に対して、他方の引戸１から適宜の距離（例えば、前記隙間Ｗａと同程度の距離）だけ離れた位置に引戸錠Ｄを設けるのではなく、破線で示すように、閉まった状態の１対の引戸１，１の一方の引戸１に対して、他方の引戸１にほぼ当接する位置に前記引戸錠Ｄを設けてもよい。この場合には、引戸錠Ｄを、引戸１，１の主錠を補助する補助錠として用いることが可能となる。
【００４８】
また、上記２つの位置のいずれにも引戸錠Ｄを取り付けるように構成してもよい。この場合には、それぞれの位置に対応する開口部１ａを設けるとともに、各開口部１ａにストッパー保持体２を取り付けるだけでよく、前記ストッパー３は１つだけ用意すればよい。もちろん、引戸１，１における前記引戸錠Ｄの取り付け位置は、上記以外の箇所でもよく、また、引戸１，１の３箇所以上に引戸錠Ｄの取り付け位置を設けてもよい。
【００４９】
さらに、上記実施例では、回動部材１０および係合体９を前方に付勢するための手段としてスプリングワッシャ１６を用いているが、このような構成に限るものではなく、スプリングワッシャ１６に代えて、スプリングワッシャ１６と同様の機能を果たす他の弾性部材を用いてもよい。
【００５０】
また、前記ストッパー保持体２およびストッパー３の連結およびその解除を行うための機構は、上記実施例に示したものに限られず、例えば、一般的な家屋の玄関などに用いられている錠と同様の機構などであってもよい。
【００５１】
【発明の効果】
以上説明したように、本発明によれば、引戸の開放を所望の間隔に制限するという操作およびその制限を解除する操作に手間がかからないだけでなく、判断能力の乏しい知的障害者や子どもなどがその引戸から外へと勝手に出てしまうことを防止できる引戸錠を提供することが可能となる。
【図面の簡単な説明】
【図１】（Ａ）および（Ｂ）は、本発明の一実施例に係る引戸錠が設置される引戸の閉じた状態の構成を概略的に示す横断面図および正面図である。
【図２】（Ａ）および（Ｂ）は、前記引戸の通風状態の構成を概略的に示す横断面図および正面図である。
【図３】前記引戸の開閉自在状態の構成を概略的に示す横断面図および正面図である。
【図４】（Ａ），（Ｂ）および（Ｃ）は、上記実施例におけるストッパーをストッパー保持体に連結した状態の構成を概略的に示す説明図、正面図および縦断面図である。
【図５】上記実施例におけるストッパーをストッパー保持体から取り外した状態の構成を概略的に示す説明図である。
【図６】（Ａ），（Ｂ），（Ｃ）および（Ｄ）は、上記実施例におけるプレート体の構成を概略的に示す背面図，横断面図，平面図および正面図である。
【図７】上記実施例におけるプレート体の構成を概略的に示す背面図である。
【図８】（Ａ），（Ｂ）および（Ｃ）は、上記実施例におけるストッパーの構成を概略的に示す横断面図，一部透視正面図および一部透視背面図である。
【図９】（Ａ），（Ｂ），（Ｃ），（Ｄ）および（Ｅ）は、上記実施例における回動部材の構成を概略的に示す背面図，平面図，正面図，縦断面図および横断面図である。
【図１０】（Ａ），（Ｂ）および（Ｃ）は、上記実施例における係合体の構成を概略的に示す正面図，側面図および底面図である。
【図１１】（Ａ）および（Ｂ）は、上記実施例における固定部材の構成を概略的に示す正面図および平面図である。
【図１２】（Ａ），（Ｂ），（Ｃ），（Ｄ），（Ｅ）および（Ｆ）は、上記実施例におけるハウジングの構成を概略的に示す平面図，正面図，側面図，横断面図，縦断面図および背面図である。
【図１３】（Ａ），（Ｂ）および（Ｃ）は、上記実施例における蓄光部材の構成を概略的に示す横断面図，正面図および縦断面図である。
【図１４】（Ａ），（Ｂ）および（Ｃ）は、上記実施例における鍵の構成を概略的に示す正面図，側面図および平面図である。
【符号の説明】
１…引戸、２…ストッパー保持体、３…ストッパー、Ｄ…引戸錠、Ｋ…鍵。
【図１】
2004143869.tif 000003
【図２】
2004143869.tif 000004
【図３】
2004143869.tif 000005
【図４】
2004143869.tif 000006
【図５】
2004143869.tif 000007
【図６】
2004143869.tif 000008
【図７】
2004143869.tif 000009
【図８】
2004143869.tif 000010
【図９】
2004143869.tif 000011
【図１０】
2004143869.tif 000012
【図１１】
2004143869.tif 000013
【図１２】
2004143869.tif 000014
【図１３】
2004143869.tif 000015
【図１４】
2004143869.tif 000016